(57)【要約】  各アクセスポイントにおけるＣＤＭＡセグメントが複数のサブセグメントからなる通信システムにおいて、３フレームの送信時間間隔（ＴＴＩ）が８回の再送信を伴ってデータ送信に利用される。アクセスポイントは、データ送信に利用されるインターレースを指定するだけでなく、特定のアクセス端末のパケット開始インターレースも割り当てる。補助パイロットチャネルＲ−ＡｕｘＰＩＣＨが、アクセス端末により逆方向リンク上でＣＤＭＡデータと共に送信される。Ｒ−ＡｕｘＰＩＣＨとＲ−ＰＩＣＨとの比はＡＣＫ／ＮＡＣＫフィードバックに基づいて変動する。また、非ＱｏＳフローの緊急負荷制御機構として使用することのできる逆方向リンクアクティビティビット（ＲＡＢ）も開示される。
2010502157.tif 000002
【特許請求の範囲】
【請求項１】
データ送信方法であって、
アクセス端末から、少なくとも１つのＣＤＭＡデータセグメントを介してデータを送信することと、
前記アクセス端末から、少なくとも１つのＣＤＭＡ制御セグメントを介して制御情報を送信することと
を含む方法。
【請求項２】
第１のスクランブリングシーケンスに従い、前記少なくとも１つのＣＤＭＡデータセグメントを介して送信される前記データにスクランブルをかけることと、
前記第１のスクランブリングシーケンスとは異なる第２のスクランブリングシーケンスに従い、前記少なくとも１つのＣＤＭＡ制御セグメントを介して送信される前記制御情報にスクランブルをかけることと
をさらに備える請求項１に記載の方法。
【請求項３】
前記第１のスクランブリングシーケンスは、前記アクセス端末のＭＡＣＩＤと、前記アクセス端末のＲＬサービスセクタのパイロットＰＮとを備える請求項２に記載の方法。
【請求項４】
前記データを送信することは、補助パイロットチャネル(Ｒ−ＡｕｘＰｉｃｈ)を介して補助パイロットを送信することをさらに備える請求項１に記載の方法。
【請求項５】
前記データを送信することは、前記データのパケットフォーマットによって決定される比に基づいて、前記補助パイロットの送信の電力レベルからオフセットされた電力レベルにある前記少なくとも１つのデータセグメントを介してデータを送信することを備える請求項４に記載の方法。
【請求項６】
Ｒ−ＡｕｘＰｉｃｈとＲ−ＰＩＣＨとの比が、打ち切り目標、アップステップサイズおよびダウンステップサイズに基づくものである請求項４に記載の方法。
【請求項７】
前記打ち切り目標、前記アップステップサイズおよび前記ダウンステップサイズは、各パケットごとに決定され、各パケットに含まれるＱｏＳ従って定義される請求項６に記載の方法。
【請求項８】
前記少なくとも１つのＣＤＭＡデータセグメントは、ＯＦＤＭＡ帯域幅の１２８副搬送波のうちの少なくともいくつかに対応する請求項１に記載の方法。
【請求項９】
少なくとも１つのＣＤＭＡデータセグメントを介してデータを送信する手段と、
前記少なくとも１つのＣＤＭＡデータセグメントとは別の帯域幅を有する少なくとも１つのＣＤＭＡ制御セグメントを介して制御情報を送信する手段と
を備える装置。
【請求項１０】
第１のスクランブリングシーケンスに従い、前記少なくとも１つのＣＤＭＡデータセグメントを介して送信される前記データにスクランブルをかける手段と、
前記第１のスクランブリングシーケンスとは異なる第２のスクランブリングシーケンスに従い、前記少なくとも１つのＣＤＭＡ制御セグメントを介して送信される前記制御情報にスクランブルをかける手段と
をさらに備える請求項９に記載の装置。
【請求項１１】
前記第１のスクランブリングシーケンスは、アクセス端末のＭＡＣＩＤと前記アクセス端末のＲＬサービスセクタのパイロットＰＮとを備える請求項１０に記載の装置。
【請求項１２】
前記データを送信する手段は、補助パイロットチャネルを介して補助パイロットを送信する手段をさらに備える請求項９に記載の装置。
【請求項１３】
前記データを送信する手段は、前記データのパケットフォーマットによって決定される比に基づいて、前記補助パイロットの送信の電力レベルからオフセットされた電力レベルにある前記少なくとも１つのデータセグメントを介してデータを送信する手段を備える請求項１２に記載の装置。
【請求項１４】
前記比は、打ち切り目標、アップステップサイズおよびダウンステップサイズに基づくものである請求項１３に記載の装置。
【請求項１５】
前記打ち切り目標、前記アップステップサイズおよび前記ダウンステップサイズは、前記アクセス端末によってサポートされるＱｏＳクラスに従って定義される請求項１４に記載の装置。
【請求項１６】
前記少なくとも１つのＣＤＭＡデータセグメントは、ＯＦＤＭＡ帯域幅の１２８副搬送波のうちの少なくともいくつかに対応する請求項１０に記載の装置。
【請求項１７】
アクセス端末から、少なくとも１つのＣＤＭＡデータセグメントを介してデータを送信する命令と、
前記アクセス端末から、少なくとも１つのＣＤＭＡ制御セグメントを介して制御情報を送信する命令と
を備えるコンピュータプログラム製品。
【請求項１８】
第１のスクランブリングシーケンスに従い、前記少なくとも１つのＣＤＭＡデータセグメントを介して送信される前記データにスクランブルをかける命令と、
前記第１のスクランブリングシーケンスとは異なる第２のスクランブリングシーケンスに従い、前記少なくとも１つのＣＤＭＡ制御セグメントを介して送信される前記制御情報にスクランブルをかける命令と
をさらに備える請求項１７に記載のコンピュータプログラム製品。
【請求項１９】
前記少なくとも１つのＣＤＭＡデータセグメントは、ＯＦＤＭＡ帯域幅の１２８副搬送波のうちの少なくともいくつかに対応する請求項１７に記載のコンピュータプログラム製品。
【請求項２０】
ＣＤＭＡデータの所与のＨ−ＡＲＱ送信を、ＴＴＩ（送信時間間隔）を構成する３フレームからの利用できる限りの数のフレームに分散させる命令をさらに備える請求項１７に記載のコンピュータプログラム製品。
【請求項２１】
アクセス端末から、少なくとも１つのＣＤＭＡデータセグメントを介してデータを送信することと、
前記アクセス端末から肯定応答を、前記肯定応答を識別する肯定応答ＩＤを含めて送信することと
を備えるデータ送信方法。
【請求項２２】
前記肯定応答ＩＤは、前記アクセス端末がパケットに入れたデータの送信を開始することを許容された各インターレースに対応する請求項２１に記載の方法。
【請求項２３】
前記アクセス端末に割り当てられた２つの肯定応答ＩＤのうちの１つから前記肯定応答ＩＤを選択すること
をさらに備える請求項２１に記載の方法。
【請求項２４】
前記少なくとも１つのＣＤＭＡデータセグメントは、ＯＦＤＭＡ帯域幅の１２８副搬送波のうちの少なくともいくつかに対応する請求項２１に記載の方法。
【請求項２５】
アクセス端末から、少なくとも１つのＣＤＭＡデータセグメントを介してデータを送信する手段と、
前記アクセス端末から肯定応答を、前記肯定応答を識別する肯定応答ＩＤを含めて送信する手段と
を備える装置。
【請求項２６】
前記肯定応答ＩＤは、前記アクセス端末がパケットに入れたデータの送信を開始することを許容された各インターレースに対応する請求項２５に記載の装置。
【請求項２７】
前記アクセス端末に割り当てられた２つの肯定応答ＩＤのうちの１つから前記肯定応答ＩＤを選択する手段をさらに備える請求項２５に記載の装置。
【請求項２８】
前記少なくとも１つのＣＤＭＡデータセグメントは、ＯＦＤＭＡ帯域幅の１２８副搬送波のうちの少なくともいくつかに対応する請求項２５に記載の装置。
【請求項２９】
アクセス端末から、少なくとも１つのＣＤＭＡデータセグメントを介してデータを送信する命令と、
前記アクセス端末から肯定応答を、前記肯定応答を識別する肯定応答ＩＤを含めて送信する命令と
を備えるコンピュータプログラム製品。
【請求項３０】
前記少なくとも１つのＣＤＭＡデータセグメントは、ＯＦＤＭＡ帯域幅の１２８副搬送波のうちの少なくともいくつかに対応する請求項２９に記載のコンピュータプログラム製品。
【請求項３１】
ＣＤＭＡデータ送信に使用されたパケットフォーマットが、データ復調に使用される補助パイロットを搬送するＲＬ補助パイロットチャネル(Ｒ−ＡｕｘＰｉｃｈ)のスクランブリングによって示される請求項２９に記載のコンピュータプログラム製品。
【請求項３２】
前記ＲＬ補助パイロットチャネルのスクランブリングは、さらに再送信指数に基づくものである請求項３１に記載のコンピュータプログラム製品。
【請求項３３】
関連付けられたＡＴ(アクセス端末)のアクティブセット内の各セクタから取得された逆方向リンクアクティビティビット（ＲＡＢ）による負荷制御機構を実施する命令
をさらに備える請求項２９に記載のコンピュータプログラム製品。
【請求項３４】
ＲＡＢビットセットが所定の閾値を超える場合、非ＱｏＳ（サービス品質）フローがブロックされる請求項３３に記載のコンピュータプログラム製品。
【請求項３５】
ＱｏＳフローがＲＡＢビットを無視するように構成される請求項３３に記載のコンピュータプログラム製品。
【請求項３６】
少なくとも１つのＣＤＭＡデータセグメントを介してデータを送信し、少なくとも１つのＣＤＭＡ制御セグメントを介して制御情報を送信する送信機と、
スクランブリングシーケンスに従い、少なくとも前記データにスクランブルをかけるプロセッサと
を備えるアクセス端末。
【請求項３７】
前記スクランブリングシーケンスは、前記アクセス端末のＭＡＣＩＤ（媒体アクセス制御識別）と、前記アクセス端末のＲＬサービスセクタのパイロットＰＮとを備える請求項３６に記載のアクセス端末。
【請求項３８】
前記送信機は、補助パイロットチャネルを介して補助パイロットを送信する請求項３７に記載のアクセス端末。
【請求項３９】
前記データは、前記データのパケットフォーマットによって決定された比に基づき、前記補助パイロットの送信の電力レベルからオフセットされた電力レベルにある前記少なくとも１つのデータセグメントを介して送信される請求項３８に記載のアクセス端末。
【請求項４０】
前記比は、打ち切り目標、アップステップサイズおよびダウンステップサイズに基づくものである請求項３８に記載のアクセス端末。
【請求項４１】
前記打ち切り目標、前記アップステップサイズおよび前記ダウンステップサイズは、前記アクセス端末によってサポートされるＱｏＳクラスに従って定義される請求項４０に記載のアクセス端末。
【請求項４２】
前記少なくとも１つのＣＤＭＡデータセグメントは、ＯＦＤＭＡ帯域幅の１２８副搬送波のうちの少なくともいくつかに対応する請求項３６に記載のアクセス端末。
【請求項４３】
前記送信機は、さらに肯定応答と、前記肯定応答を識別する肯定応答ＩＤとを送信する請求項３６に記載のアクセス端末。
【請求項４４】
前記肯定応答ＩＤは、前記アクセス端末がパケットに入れたデータの送信を開始することを許容された各インターレースに対応する請求項４３に記載のアクセス端末。
【請求項４５】
前記プロセッサは、前記アクセス端末に割り当てられた２つの肯定応答ＩＤのうちの１つから肯定応答ＩＤを選択する請求項４３に記載のアクセス端末。
【請求項４６】
プロセッサに関連付けられたセクタ内の負荷が所定の閾値を超える場合、逆方向リンクアクティビティビット（ＲＡＢ）を設定するプロセッサと、
前記セクタ内のアクセス端末にＲＡＢをブロードキャストする送信機と
を備える緊急負荷制御機構を実施する装置。
【請求項４７】
非ＱｏＳフローを送信するアクセス端末が、前記セクタに前記ＲＡＢが設定されるときに、ＣＤＭＡデータセグメントにおいてデータをロードするのを中止する請求項４６に記載の装置。
【請求項４８】
ＲＡＢは、ＯＮ状態のＲＡＢがＡＰからＡＴに送信されるＦ−ＰＱＩＣＨ（パイロット品質チャネル）によって使用される１６個の符号語のうちの１つだけを使用するように操作されるオンオフ変調チャネルである請求項４６に記載の装置。
【発明の詳細な説明】
【技術分野】
【０００１】
［関連出願の相互参照］
本出願は、２００６年８月２５日に出願された、「ＣＤＭＡ無線通信システム（CDMA WIRELESS COMMUNICATION SYSTEMS）」という名称の米国仮特許出願第６０／８４０，１０９号、２００６年８月３０日に出願された、「ＣＤＭＡ無線通信システム（CDMA WIRELESS COMMUNICATION SYSTEMS）」という名称の米国仮特許出願第６０／８４１，３６０号、および２００６年１０月１０日に出願された、「ＣＤＭＡ無線通信システム（CDMA WIRELESS COMMUNICATION SYSTEMS）」という名称の米国仮特許出願第６０／８２８，８２３号の利益を主張し、これらの出願の全文を参照により本明細書に組み込むものである。
【背景技術】
【０００２】
［発明の背景］
本明細書は一般に無線通信システム内のＣＤＭＡトラヒック設計の様々な態様に関する。
【０００３】
音声、データ、映像といった様々な種類の通信を提供するために無線通信システムが広範に実施されている。これらのシステムには、利用可能なシステムリソース（帯域幅や送信電力など）を共用することにより複数のアクセス端末との通信をサポートすることのできる多元接続システムもある。このような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、あるいはこれらのシステムのうちの少なくとも２つが関与するハイブリッドシステムが含まれる。一般に、無線通信システムはいくつかの基地局を備え、各基地局は順方向リンクを使って移動局と通信し、各移動局（すなわちアクセス端末）は逆方向リンクを使って基地局と通信する。
【０００４】
データを送信する単純な無線通信網は、今や音声や映像信号さえも送信する無線システムへと発展している。この結果、送信されるデータ量、帯域幅および電力需要などに関するユーザのニーズも増大している。したがって、このような通信システムの発展にもかかわらず、増大する需要に対処するためにこれらのシステムの様々な態様をさらに進化させる必要がある。これには、通信品質、電力効率、無線装置の最適使用、帯域幅などといった様々な態様における改善が関与し得る。
【発明の概要】
【０００５】
以下に、特許請求する主題のいくつかの態様の基本的な理解を得るための特許請求する主題の簡略化した概要を提示する。この概要は特許請求する主題の外延的な概観ではない。この概要は、特許請求する主題の主要な、または不可欠な要素を特定するためのものでも、特許請求する主題の適用範囲の輪郭を示すためのものでもない。この概要の唯一の目的は、後段で提示するより詳細な説明への前置きとして、特許請求する主題のいくつかの概念を簡略化した形で提示することである。
【０００６】
本明細書で説明する様々な態様に係る通信の方法は、ＣＤＭＡデータ信号を送信することができ、ＯＦＤＭデータ信号を送信する他のＡＴと一緒に、ＣＤＭＡ制御サブセグメントと、データ送信用の１つまたは複数のＣＤＭＡトラヒックサブセグメントが割り当てられるＡＴを提供する。各ＡＰにおける１つのＣＤＭＡセグメントは複数のサブセグメントからなり、各サブセグメントは、ネットワークによって構成される所定の方法で割り振られても、時間的かつ／または周波的に動的な方法で割り振られてもよい。
【０００７】
一態様では、３フレームの送信時間間隔（ＴＴＩ;Transmission Time Interval）が８回の再送信を伴ってＣＤＭＡデータ送信に利用される。ＣＤＭＡセグメントは少なくとも３つのＰＨＹフレームにわたって送信されるように定義され、例えば、単一のパケットが３つのＰＨＹフレームにわたって分割して送信される。別の態様によれば、ＣＤＭＡデータの所与のＨ−ＡＲＱ送信が、例えばＴＴＩを構成する３フレームのうちの、利用できる限りの数のフレームに分散される。さらに、ＡＰは、指定のＡＴの構成時にパケットが開始し得るインターレース(interlace)を指定することもできる。
【０００８】
いくつかの態様では、データ送信と同じ帯域幅でデータ送信を搬送するフレームに入れて補助パイロット(auxiliary pilot)が送信されてもよい。別の態様では、ＲＬ補助パイロットチャネル（Ｒ−ＡｕｘＰｉｃｈ）のスクランブリング（scrambling）を、速度表示と送信指数の両方の関数とすることができる。これにより、ＡＴは、ＲＬ  ＣＤＭＡ送信の速度の変化を最小限のオーバーヘッドで知らせることができる。
【０００９】
別の態様では、Ｒ−ＡｕｘＰＩＣＨ（逆補助パイロットチャネル）がＣＤＭＡデータが存在するときに送信され、ＯＦＤＭデータ送信用ではＡＴはこれを除外することができる。よって、Ｒ−ＡｕｘＰＩＣＨは、ＡＰとしてのＣＤＭＡ送信のためのチャネル推定パイロットとして使用される。様々な態様において、ＣＤＭＡトラヒックとＲ−ＡｕｘＰＩＣＨとの電力比は、パケットフォーマット(packet format)に基づいて固定される。Ｒ−ＡｕｘＰＩＣＨとＲ−ＰＩＣＨとの比は、ＡＣＫ／ＮＡＣＫフィードバックに基づいて変化させることができる。異なる態様によれば、これは、構成時に打ち切り目標（termination target）、アップステップサイズおよびダウンステップサイズを設定することにより実現される。
【００１０】
別の態様では、特定のセクタにおける（ＲｏＴ（rise over thermal）または他の何らかの測定によって示される）負荷が所定の閾値を超えるか否かを示す、１ビットの逆方向リンクアクティビティビット（reverse link activity bit）（ＲＡＢ）を、緊急負荷制御機構として使用することができる。これは、各ＰＨＹフレーム内のＣＤＭＡトラヒックセグメント上でどのフローにデータ送信が許容されているかを判定するのに使用することができる。別の態様では、構成時に各端末ごとのＲＡＢビットの意味を設定することができる。
【００１１】
以下の説明および添付の図面で特許請求する主題のいくつかの例示的態様を詳細に説明する。しかしこれらの態様は、特許請求する主題の原理が用いられる様々な方法のうちのいくつかを示すにすぎず、特許請求する主題は、このようなすべての態様およびこれらの均等物を含むものである。特許請求する主題の他の利点および顕著な特徴は、以下の特許請求する主題の詳細な説明を図面と併せて読めば明らかになるであろう。
【図面の簡単な説明】
【００１２】
【図１】本明細書に示す様々な態様に係る無線多元接続通信システムを示す図である。
【図２】多元接続マルチキャリア通信システムにおける１つのＡＰと２つのＡＴの一実施形態を示すブロック図である。
【図３】一態様に係るＡＰを示す概略図である。
【図４Ａ】一態様に係るＨ−ＡＲＱインターレース構造での再送信タイムラインを示す図である。
【図４Ｂ】ＡＰがＡＴのＣＤＭＡデータに使用するインターレースを指定し、パケット開始インターレースを割り当てる一態様を示す図である。
【図４Ｃ】ＣＤＭＡトラヒックデータを送信するのに使用されるＰＨＹフレームの例を示す概略図である。
【図５】一態様に係るＡＴからデータを送信する一実施形態を示す概略図である。
【図６】ＲＲＩチャネルの必要性を軽減するのに用いることのできるデータ送信方法を示すフローチャートである。
【図７】通信システム内の様々な逆方向リンクチャネルのための電力制御ループを提供する別の態様に関するフローチャートである。
【図８】ＡＣＫ／ＮＡＣＫフィードバックに基づいて通信システム内で様々なパイロットチャネルの電力を設定する方法８００に関する図である。
【図９】緊急負荷制御機構として１ビットの逆方向リンクアクティビティビット（reverse link activity bit）（ＲＡＢ）を用いる方法を示す図である。
【発明を実施するための形態】
【００１３】
［発明の説明］
次に図面を参照して特許請求する主題を説明する。図面全体を通して、類似の要素を指すのには類似の参照番号を使用している。以下の記述では、特許請求する主題の十分な理解を得るために説明として多数の具体的詳細が示されている。しかし、特許請求する主題がこれらの具体的詳細なしでも実施され得ることは明らかであろう。場合によっては、特許請求する主題の説明を容易にするために周知の構造および装置をブロック図の形で示すこともある。
【００１４】
次に図面を参照して様々な実施形態を説明する。図面全体を通して、類似の要素を指すのには類似の参照番号を使用している。以下の記述では、１つまたは複数の態様の十分な理解を得るために、説明として多数の具体的詳細が示されている。しかし、このような（１つまたは複数の）実施形態はこれらの具体的詳細なしでも実施され得ることは明らかであろう。場合によっては、１つまたは複数の実施形態の説明を容易にするために周知の構造および装置をブロック図の形で示すこともある。本出願で使用する際、「コンポーネント（component）」、「モジュール（module）」、「システム（system）」などの用語は、コンピュータ関連のエンティティ、すなわち、ハードウェア、ファームウェア、ハードウェアとソフトウェアの組み合わせ、ソフトウェア、または実行中のソフトウェアのいずれかを指すものである。例えば、コンポーネントとは、それに限定されるものではないが、プロセッサ上で実行中のプロセス、プロセッサ、集積回路、オブジェクト、実行可能プログラム、実行のスレッド、プログラム、および／またはコンピュータとすることができる。例えば、コンピュータ機器上で走っているアプリケーションもコンピュータ機器もコンポーネントとすることができる。１つのプロセスおよび／または実行のスレッド内に１つまたは複数のコンポーネントが存在していてもよく、１つのコンポーネントが１台のコンピュータ上に局在していても、２台以上のコンピュータ間に分散されていてもよい。加えて、これらのコンポーネントは、様々なデータ構造が格納されている様々なコンピュータ可読媒体から実行することもできる。コンポーネントは、１つまたは複数のデータパケット（信号によってローカルシステム内、分散システム内の別のコンポーネントと、かつ／またはインターネットなどのネットワークを介して別のシステムとやりとりするあるコンポーネントからのデータなど）を有する信号などに従い、ローカルプロセスおよび／またはリモートプロセスによってやり取りしてもよい。
【００１５】
さらに本明細書では、様々な実施形態が、無線端末および／または基地局との関連で説明されている。無線端末とはユーザに音声および／またはデータ接続を提供する機器をいう。無線端末は、ラップトップコンピュータやデスクトップコンピュータなどのコンピュータ機器に接続されていてもよく、携帯情報端末（ＰＤＡ）などのような自己完結型機器とすることもできる。また、無線端末を、システム、加入者ユニット、加入者局、移動局、モバイル、リモート局、アクセスポイント、リモート端末、アクセス端末、ユーザ端末、ユーザエージェント、ユーザ機器、またはユーザ装置と呼ぶこともできる。無線端末は、加入者局、無線機器、セルラ電話機、ＰＣＳ電話機、コードレス電話機、セッション開始プロトコル（ＳＩＰ）電話機、無線ローカルループ（ＷＬＬ）局、携帯情報端末（ＰＤＡ）、無線接続機能を有するハンドヘルド式機器、または無線モデムに接続された他の処理装置とすることができる。基地局（アクセスポイントなど）とは、エアインターフェースを介し、１つまたは複数のセクタを経由して無線端末と通信するアクセスネットワーク内の機器をいう。基地局は、受信エアインターフェースフレームをＩＰパケットに変換することにより、無線端末と、インターネットプロトコル（ＩＰ）ネットワークを含み得るアクセスネットワークの残りの部分との間のルータとして機能してもよい。また、基地局はエアインターフェースの属性管理の調整も行う。さらに、本明細書で説明する様々な態様または特徴は、標準的なプログラミング技術および／または工学技術を使った方法、装置、または製造品として実施されてもよい。「製造品（article of manufacture）」という用語は、本明細書で使用する場合、任意のコンピュータ可読装置、搬送波、または媒体からアクセスすることのできるコンピュータプログラムを包含するものである。例えば、コンピュータ可読媒体には、それに限定されるものではないが、磁気記憶装置（ハードディスク、フロッピー（登録商標）ディスク、磁気ストリップなど）、光ディスク（コンパクトディスク（ＣＤ）、ディジタル多用途ディスク（ＤＶＤ）など）、スマートカード、フラッシュメモリ（カード、スティック、キードライブなど）が含まれ得る。
【００１６】
以下、様々な実施形態を、いくつかの装置、コンポーネント、モジュールなどを含み得るシステムとして提示する。様々なシステムは、追加の装置、コンポーネント、モジュールなどを含んでいてもよく、かつ／または、各図面との関連で論じる装置、コンポーネント、モジュールなどの必ずしもすべてを含んでいなくてもよいことを理解し、認識すべきである。また、これらの手法の組み合わせが使用されてもよい。
【００１７】
「例示的（exemplary）」という語は、本明細書では、「代表例（example）、具体例（instance）、または例証（illustration）として使用する」という意味で用いられている。本明細書で「例示的」なものとして説明する実施形態または設計は、必ずしも他の実施形態または設計に優って好ましく、または有利であると解釈すべきものであるとは限らない。「リスニング（listening）」という語は、本明細書では、受信側機器（アクセスポイントまたはアクセス端末）が所与のチャネル上で受け取られるデータを受信し、処理しているという意味で用いられている。
【００１８】
図１に、複数のアクセスポイント（ＡＰ）１１０と複数の端末１２０とを備える無線通信システム１００を示す。基地局とは端末とやりとりする局である。また、基地局を、アクセスポイント、ノードＢ、および／または他の何らかのネットワークエンティティと呼んでもよく、基地局がこれらの機能の一部または全部を含んでいてもよい。各アクセスポイント１１０は、特定の地理的エリア１０２の通信カバレージを提供する。「セル（cell）」という用語は、この用語が使用される文脈に応じて、アクセスポイントおよび／またはアクセスポイントのカバレージエリアを指し得る。システム容量を向上させるために、アクセス端末カバレージエリアが、複数のより小規模なエリア、例えば３つの小規模エリア１０４ａ、１０４ｂ、１０４ｃなどに分割されてもよい。各小規模エリアは、個々のベーストランシーバサブシステム（base transceiver subsystem）（ＢＴＳ）によってサービス提供を受ける。「セクタ（sector）」という用語は、この用語が使用される文脈に応じて、ＡＰおよび／またはＡＰのカバレージエリアを指し得る。セクタ化されたセルでは、このセルのすべてのセクタのＡＰが通常はこのセルの基地局内に共に位置する。本明細書で説明する信号伝送技術は、セクタ化セルを用いたシステムにも、非セクタ化セルを用いるシステムにも使用され得る。説明を簡単にするために、以下の説明では、「基地局（base station）」という用語を、セクタにサービス提供する局とセルにサービス提供する局の総称として使用する。
【００１９】
端末１２０は、典型的には、システム全体に分散しており、各端末は固定式とすることも移動式とすることもできる。また、端末を、移動局、ユーザ装置、および／または他の何らかの機器と呼んでもよく、端末がこれらの機能の一部または全部を含んでいてもよい。端末は、無線機器、セルラ電話機、携帯情報端末（ＰＤＡ）、無線モデムカードなどとすることができる。端末は、任意の所与の瞬間に順方向リンク上と逆方向リンク上で０、１つ、または複数の基地局と通信し得る。
【００２０】
集中型アーキテクチャでは、システムコントローラ１３０がＡＰ１１０に結合し、これらの基地局の調整および制御を行う。システムコントローラ１３０は、単一のネットワークエンティティとすることも、ネットワークエンティティの集合体とすることもできる。分散型アーキテクチャでは、各ＡＰが必要に応じて相互にやりとりし得る。
【００２１】
態様によっては、システムは、ＣＤＭＡとＯＦＤＭＡのような複数のプロトコルをサポートしてもよく、これらのプロトコルは、ＲＬとＦＬ両方の送信に交互に使用されてもよく、一方または他方だけに使用されてもよい。加えて、ＯＦＤＭＡ通信システムでは、１つまたは複数のＡＴが、ＯＦＤＭ逆方向リンクと共に、またはこれの代わりに、ＣＤＭＡ逆方向リンクをサポートしてもよい。
【００２２】
図２に、多元接続マルチキャリア通信システム１００における１つのＡＰ１１０ｘと２つのＡＴ１２０ｘおよび１２０ｙとの実施形態のブロック図２００を示す。ＡＰ１１０ｘにおいて送信（ＴＸ）データプロセッサ５１４は、データソース５１２からトラヒックデータ（すなわち情報ビット）を受け取り、コントローラ５２０とスケジューラ５３０からシグナリングおよび他の情報を受け取る。例えばコントローラ５２０は、アクティブＡＴの送信電力を調整するのに使用される電力制御（ＰＣ）コマンドを提供し、スケジューラ５３０はＡＴの搬送波割り当てを提供する。これら様々な種類のデータは異なるトランスポートチャネル上で送られてもよい。ＴＸデータプロセッサ５１４はマルチキャリア変調（ＯＦＤＭなど）を使って受け取ったデータを符号化および変調して変調データ（ＯＦＤＭシンボルなど）を提供する。次いで送信ユニット（ＴＭＴＲ）５１６は、変調データを処理して、次にアンテナ５１８から送信されるダウンリンク変調信号を生成する。加えてメモリ５２２は、現在または前の割り当ておよび／または電力レベルに関する情報を保持することができる。
【００２３】
ＡＴ１２０ｘとＡＴ１２０ｙにおいてそれぞれ、送信された変調信号がアンテナ５５２によって受信され、受信ユニット（ＲＣＶＲ）５５４に提供される。受信ユニット５５４は受信信号を処理し、ディジタル化してサンプルを提供する。次いで受信（ＲＸ）データプロセッサ５５６は、サンプルを復調および復号して、回復されたトラヒックデータ、メッセージ、シグナリングなどを含む復号データを提供する。トラヒックデータはデータシンク５５８に提供され、この端末のために送られた搬送波割り当ておよびＰＣコマンドはコントローラ５６０に提供される。メモリ５６２は、受信したマップおよび端末の動作を円滑化する他の情報を格納するのに使用することができる。コントローラ５６０は、端末に割り当てられ、受け取った割り当てに示されているリソースを使ってアップリンク上のデータ送信を宛先指定する。
【００２４】
コントローラ５２０は、端末に割り当てられているリソースを使ってダウンリンク上のデータ送信を宛先指定する。コントローラ５２０はさらに、送信する実際のデータはないが割り当てられたリソースを保持しようとするときに、消去シグニチャパケットを注入する。
【００２５】
各アクティブ端末１２０ごとに、ＴＸデータプロセッサ５７４は、データソース５７２からトラヒックデータを受け取り、コントローラ５６０からシグナリングおよび他の情報を受け取る。例えば、コントローラ５６０は、チャネル品質情報、所要送信電力、最大送信電力、または端末の最大送信電力と所要送信電力の差を示す情報を提供してもよい。様々な種類のデータが、ＴＸデータプロセッサ５７４により割り当て搬送波を使って符号化および変調され、送信ユニット５７６によりさらに処理されて、次にアンテナ５５２から送信されるアップリンク変調信号が生成される。
【００２６】
ＡＰ１１０ｘにおいて各ＡＴからの送信変調信号がアンテナ５１８によって受信され、受信ユニット５３２によって処理され、ＲＸデータプロセッサ５３４によって変調され、復号される。復号信号はデータシンク５３６に提供することができる。受信ユニット５３２は、各端末ごとに受信信号品質（受信信号対雑音比（ＳＮＲ）など）を推定し、この情報をコントローラ５２０に提供する。次いでコントローラ５２０は、端末の受信信号品質が許容できる範囲内に維持されるように各端末ごとのＰＣコマンドを導出する。ＲＸデータプロセッサ５３４は、各端末ごとの回復されたフィードバック情報（所要送信電力など）をコントローラ５２０とスケジューラ５３０とに提供する。
【００２７】
スケジューラ５３０はコントローラ５２０にリソースを維持するための指示を提供する。この指示は、次のデータが送信されることが予定されている場合に提供される。ＡＴ１２０ｘでは、コントローラ５６０がリソースを維持する必要があるか否かを判定する。いくつかの態様では、コントローラ５２０は、スケジューラ５３０の機能を提供する命令を実行する。
【００２８】
図３に示すように、アクセスポイント３００は、メインユニット（ＭＵ）２５０と無線ユニット（ＲＵ）２７５とを備えることができる。ＭＵ２５０はアクセスポイントのディジタルベースバンドコンポーネントを含む。例えば、ＭＵ２５０は、ベースバンドコンポーネント２０５と、ディジタル中間周波数（ＩＦ）処理ユニット２１０を含むことができる。ディジタルＩＦ処理ユニット２１０は、フィルタリング、チャネル化、変調などといった機能を実行することにより、無線チャネルデータを中間周波数でディジタル処理する。ＲＵ２７５はアクセスポイントのアナログ無線部分を含む。本明細書で使用する際、無線ユニットとは、アクセスポイント、または移動交換センタもしくは対応する機器への直接的もしくは間接的接続を有する他の種類の送受信局のアナログ無線部分である。無線ユニットは典型的には、通信システム内の特定のセクタにサービス提供する。例えば、ＲＵ２７５は、移動加入者ユニットから無線通信を受信する１つまたは複数のアンテナ２３５ａ〜ｔに接続された１つまたは複数の受信機２３０を含むことができる。一態様では、１つまたは複数の電力増幅器２８２ａ〜ｔが１つまたは複数のアンテナ２３５ａ〜ｔに結合されている。受信機２３０に接続されるのはアナログ／ディジタル（Ａ／Ｄ）変換器２２５である。Ａ／Ｄ変換器２２５は、受信機２３０が受信するアナログ無線通信を、ディジタルＩＦ処理ユニット２１０を介してベースバンドコンポーネント２０５に送信するためのディジタル入力に変換する。またＲＵ２７５は、アクセス端末に無線通信を送信するための、同じまたは異なるアンテナ２３５に接続されている１つまたは複数の送信機２２０も含むことができる。送信機２２０に接続されているのはディジタル／アナログ（Ｄ／Ａ）変換器２１５である。Ｄ／Ａ変換器２１５は、ディジタルＩＦ処理ユニット２１０を介してベースバンドコンポーネント２０５から受け取るディジタル通信を移動加入者ユニットへの送信のためのアナログ出力に変換する。実施形態によっては、複数チャネル信号の多重化と音声信号およびデータ信号を含む様々な信号の多重化のためのマルチプレクサ２８４。中央処理装置２８０は、音声またはデータ信号の処理を含む様々な処理を制御するためにメインユニット２５０と無線ユニット２７５とに結合されている。
【００２９】
本明細書では、スケーラブルな帯域幅のサポートを伴う、全二重および半二重のＦＤＤ（周波数分割二重）およびＴＤＤ（時分割二重）動作モードをサポートする無線通信システム設計の１つまたは複数の態様が説明されている。しかし、必ずしもこれに該当しなくてもよく、前述のモードに加えて、または前述のモードの代わりに他のモードがサポートされてもよい。さらに、本明細書における概念および手法は、必ずしも本明細書で説明する他のいずれかの概念または手法と併せて使用されなくてもよいことにも留意すべきである。また、本明細書で論じる様々な態様は、コンピューティングプラットフォームからモバイルハンドセットまでに及ぶ様々な機器にモバイル広帯域サービスを提供するモバイルＯＦＤＭＡ（直交周波数分割多元接続）解決方式であるＵＭＢ（Ultra Mobile Broadband）と関連付けることもできる。ＵＭＢはＭＩＭＯなどの先進技術を円滑化するシグナリングおよび制御機構を用いる。したがってこの技術は、地上通信線網（landline network）と関連付けられる広帯域アクセスと実質的に同様のモバイル広帯域体験を提供することができる。
【００３０】
一態様では、ＣＤＭＡデータ信号を送信することのできるＡＴに、ＯＦＤＭデータ信号を送信する他のＡＴと一緒に、ＣＤＭＡ制御サブセグメントと、データ送信用の１つまたは複数のＣＤＭＡトラヒックサブセグメントが割り当てられる。例えば、ＵＭＢシステムでは、ＣＤＭＡサブセグメントは、所定数のＰＨＹフレームごとに周期的に発生する、フレーム内の帯域幅の連続する部分からなる。単一のアクセス端末に、制御チャネル送信のための１つまたは複数の制御サブセグメントを割り当てることができる。これらはＣＤＭＡ制御のサブセグメントと呼ばれる。加えて、アクセス端末には、ＣＤＭＡトラヒックサブセグメントと呼ばれる、ＣＤＭＡトラヒック送信のための１つまたは複数のＣＤＭＡサブセグメントも割り当てられてよい。トラヒックに使用されるＣＤＭＡサブセグメントのセットは、制御に使用されるＣＤＭＡサブセグメントのセットと同じであっても同じでなくてもよい。一般に、各ＡＰにおけるＣＤＭＡセグメントは複数のサブセグメントを備え、各サブセグメントは、ネットワークによって構成される所定の方法で割り振られても、時間的かつ／または周波的に動的な方法で割り振られてもよい。ＣＤＭＡサブセグメント割り当ては柔軟であり、ネットワーク全体またはネットワークの部分にまたがって共通とし、すべてのＡＴについて同じとすることもでき、隣接するＡＰにまたがる部分的オーバーラップを許容することもできる。さらに、ＡＰがすべてのＡＴの制御サブセグメントだけ（すなわちトラヒックなし）を有することも可能である。制御サブセグメントは、ＯＦＤＭ逆方向リンクのトラヒックサブセグメント上にスケジュールされても、これらのトラヒックサブセグメントを飛び越してもよい。さらに、態様によっては、データ送信と同じ帯域幅でデータ送信を搬送するフレームに入れて補助パイロットが送信されてもよい。一般にデータフレームは、いくつかある値の中でも特に、フレーム制御フィールド、アドレスフィールド、フレーム本体、およびフレームチェックシーケンスを備える。
【００３１】
一態様では、ＣＤＭＡ逆方向リンク（ＲＬ）データ送信は、パケットの再送信のために自動再送信要求（ＡＲＱ;automatic repeat request）またはハイブリッド自動再送信要求（Ｈ−ＡＲＱ; hybrid automatic repeat request）をサポートする。ＡＲＱは、受信側が送信側にデータフレームの適正な受信を示すための肯定応答(acknowledgement)を送るデータ送信における誤り制御方式である。ハイブリッドＡＲＱ（Ｈ−ＡＲＱ）はＡＲＱ誤り制御方式の一変形であり、誤り検出情報（巡回冗長検査など）および誤り訂正符号、例えばターボ符号などがデータブロックに符号化される。このような符号化データブロックが受け取られると、伝送誤りを訂正し、正しいデータフレームを取得するために誤り訂正符号を取り出すことができる。すべての伝送誤りが訂正されない場合、受信側はＡＲＱと同様のやり方で再送信を要求することができる。
【００３２】
図４Ａに一態様に係るＨ−ＡＲＱインターレース構造の再送信タイムラインを示す。データ送信は一般にＴＴＩ（送信時間間隔）と呼ぶことのできる固定期間のフレームとして編成される。各フレームは特定の数のタイムスロットで構成することができる。一般に、１セル内のＡＴはフレームレベルとスロットレベルの両方で同期され得る。ＡＮとＡＴにおいてＨ−ＡＲＱ関連の処理時間を提供するために、３インターレース構造をＦＬとＲＬの両方に使用することができる。一態様によれば、インターレースは、各フレーム間に７ＰＨＹフレームずつ間隔を置き、各ＰＨＹフレームが８ＯＦＤＭシンボルを備えるようなフレームセットを備えることができる。
【００３３】
Ｈ−ＡＲＱは一般に、誤り訂正符号と誤り検出符号を用いて符号化された送信データでフレームを形成することにより実施される。一態様によれば、ＣＤＭＡデータ送信では、１フレーム送信時間間隔（ＴＴＩ）が８回の再送信を伴って利用される。これは同じシステム上で送信されるＯＦＤＭデータと同じとすることができる。しかし、このようなインターレース構造は低品位なユーザ間の統計多重化をもたらす可能性があり、送信側からの利得および損失に相当するリンクバジェットが悪い。これらの欠点は、等間隔のフレームのセットにまたがって分割されたパケットを有するインターレース構造により解消することができる。したがって、図４Ａに示すように、３フレームのＴＴＩを８回の再送信と共にデータ送信に利用することができる。この態様では、ＣＤＭＡセグメントは、少なくとも３つのＰＨＹフレームにわたって送信されるように定義され、例えば、単一のパケットが３つのＰＨＹフレームにわたって分割して送信される。他の態様では、ＣＤＭＡデータの所与のＨ−ＡＲＱ送信が、ＴＴＩの３フレームなどのうちの、利用できる限りの数のフレームにわたって分散される。スケジューラは、本明細書で論じるように統計多重化を改善するための柔軟性を提供しつつ、ＣＤＭＡトラヒックの割り振りにおける細分性を維持し得る。
【００３４】
所与のＡＴについて、ＡＰはＣＤＭＡデータに利用できるインターレースのセットを指定することができる。加えてＡＰは、割り当てまたは他の送信により、構成時にパケットが開始し得るインターレースを指定することもできる。例えば、１ユーザ当たり最大２つまでのインターレースがＣＤＭＡデータ送信に割り振られてもよい。図４Ａに示すタイムラインによれば、ＡＰは、インターレース０、１、２を（このＡＴでの）ＣＤＭＡデータに使用させ、パケット送信がインターレース０において開始し、インターレース０、１および２に及ぶものと指定している。インターレース５においてＡＴからＡＰにＡＣＫ（肯定応答）が送信され、続いて、インターレース８、９、１０に及ぶ再送信においてデータが反復される。図４Ｂに、ＡＰが、インターレース１および２を（このＡＴでの）ＣＤＭＡデータに使用され、パケット開始インターレース０を割り当てるものと指定する一態様を示す。したがって、パケット送信はインターレース１と２に及ぶ。一般に、ＡＰは２つのこうした「パケット開始」インターレースを指定することができる。２つのパケット開始インターレースの間には少なくとも３フレームずつ間隔を置くことができる。図４Ａおよび図４Ｂに示すように、ＡＣＫ（肯定応答）リソースは、ＡＴがパケットを開始することのできる各インターレースに対応するＡＴに割り当てられる。一般に、開始インターレースｋでは、ＡＴのパケットは、ＡＴのＣＤＭＡトラヒックのためにこのＡＴに割り当てられたインターレースに基づき、１つまたは複数のインターレースｋ、ｋ＋１、ｋ＋２に及ぶことができる。３つのＰＨＹフレームにわたる分散により、ユーザ間の統計多重化が改善されると共に、送信側利得も改善され、同じパケットサイズでより良いリンクバジェットがもたらされる。加えてこの分散は、ＡＰに対し、例えば帯域幅要件など様々な基準に基づいて異なるＡＴに可変のＴＴＩサイズを指定する柔軟性も提供する。
【００３５】
図４Ｃに、前述のようなＣＤＭＡトラヒックデータを送信するのに使用されるＰＨＹフレームの一実施形態を示す。この態様によれば、各ＰＨＹフレームは８個のＯＦＤＭシンボルで構成される。
【００３６】
図５は、一態様に係る、ＡＴからデータを送信する一実施形態に関連するものである。この実施形態では、符号器５０２がＣＤＭＡトラヒックのための送信データまたは情報ビットを、例えば１／５ターボ符号を使用するなどにより、ＯＦＤＭＡトラヒックと類似のやり方で符号化する。これらの符号化ビットはインターリーバ５０４によりインターリーブされる。一態様によれば、インターリーブはプルーニングビット反転チャネルインターリーバとすることができる。スクランブラ５０６は、ユーザＭＡＣＩＤ(Media Access Control Identification)およびＲＬサービスセクタのパイロットＰＮ（疑似雑音;Pseudo Noise）符号に基づいてインターリーブされたビットにスクランブルをかける。なお、このＣＤＭＡトラヒックデータのスクランブリングは、ＣＤＭＡ制御データのスクランブリングとは別個のものである。変調器５０８は、例えばＱＰＳＫ（四相位相偏移）変調などを用いることにより、スクランブルのかかったＣＤＭＡトラヒックデータを変調する。このようにして得られたシンボルは、送信の前に変調データをさらに予め調整するためにＤＦＴ（離散フーリエ変換）プリコーダ５１０の入力にマップされる。１ＣＤＭＡ送信当たりの変調シンボルの数は、ＣＤＭＡセグメントの帯域幅（または割り振られるＣＤＭＡサブセグメントの数）と、インターレース内のフレーム数とに依存する。例えば、３つのＰＨＹフレームにわたる１２８副搬送波ＣＤＭＡセグメントは３０７２変調シンボルに対応する。さらに、ＯＦＤＭＡトラヒックの場合と同様に、必要な変調シンボルの数が１／５未満の符号速度（code rate）に対応するときには、繰り返しが用いられる。
【００３７】
一態様によれば、ＣＤＭＡトラヒックセグメント上のパケットフォーマットは、インターネットプロトコル上の音声（ＶｏＩＰ）通信をサポートする。一態様では、ＶｏＩＰサポートを、２５６と１２８など２つのパケットサイズを使って最適化することができ、これらのサイズが、それぞれ、フルレートとクォーターレートのエンハンスド可変レートＣＯＤＥＣ（ＥＶＲＣ）フレームに対応させるのに使用されてもよい。パケットサイズには、ＭＡＣ（媒体アクセス制御）、ならびに巡回冗長符号（ＣＲＣ）オーバーヘッドを含み得る。加えて、（ＶｏＩＰとは別の）他の種類のフローをこのセグメント上で送信することもできる。ＣＤＭＡフローマッピングは、ＡＴにより、分散されたＡＴ中心ＣＤＭＡ  ＭＡＣ、または他のマッピングを使って決定される。一般に割り当ては、ＣＤＭＡトラヒックセグメントのみ、ＯＦＤＭＡトラヒックセグメントのみ、または両方のセグメントでどのフローが許容されるかを示す。しかしＡＴはこの種の情報を、フローＩＤなどデータの種類、または別の手法基づいて決定してもよい。一態様では、ＣＤＭＡデータ送信に使用されるパケットフォーマットを、データ復調に使用する補助パイロットを搬送するＲＬ補助パイロットチャネル（Ｒ−ＡｕｘＰｉｃｈ）のスクランブリングによって示すことができる。これにより、ＡＴはＲＬ  ＣＤＭＡ送信のレートの変化を最小限のオーバーヘッドで知らせることができる。
【００３８】
図６に、ＲＲＩチャネルの必要性、ならびに複数仮説復調／復号の必要を軽減するのに用いることのできる一態様を説明するフローチャート６００を示す。６０２で、送信するデータがＣＤＭＡトラヒックデータであるか否かが判定される。そうである場合、プロセスはステップ６０４に進み、そうでない場合、終了ブロックに到達する。６０４で、送信するパケットフォーマット、ならびに再送信指数(retransmission index)、すなわち現在の送信の再送信回数、に基づいて、補助パイロットシンボルにスクランブルがかけられる。再送信回数は、現在の１つまたは複数のパケットが表すＡＲＱ送信の回数とすることができる。前述のように、また以下で図６Ｂにさらに示すように、補助パイロットはデータ送信を搬送するフレームに入れて送信される。したがって６０６で、スクランブルのかかったシンボルがデータを搬送するフレーム内に含められる。このように、各フレーム内のパイロットシンボルとデータシンボルは同じ送信処理を受け、６０８で送信される。これらのデータフレームを受信すると、ＡＰは、スクランブリングを異なる仮説と相関させて、データ復調の前にパケットフォーマットおよび送信指数を判定することができる。さらに、このＣＤＭＡチャネル上での後刻の送信について、ＡＰは前の送信でのＲ−ＡｕｘＰｉｃｈ（パイロット）と組み合わせてパケットフォーマットまたは送信指数の１つまたは複数を識別することもできる。
【００３９】
いくつかの態様によれば、順方向で受信されるデータの伝送速度に関する情報を搬送するデータ転送速度制御（ＤＲＣ）チャネルが送信される。逆に、逆方向で送信されるトラヒックチャネルに関する情報を搬送する逆方向転送速度指示（ＲＲＩ）チャネルも送信され、ＣＤＭＡシステム内の順方向および逆方向の高速データ通信をサポートする。このように、基地局と移動局は制御情報を交換し、これによってデータ通信を円滑に実行する。しかし、パケットフォーマットと再送信指数に基づくＲ−ＡｕｘＰｉｃｈ（パイロット）のスクランブリングにより、潜在的に高くつくＲＲＩチャネルの必要も、ＡＰにおける複数仮説の復調／復号の必要もなくなる。
【００４０】
図７は、通信システム内の様々な逆方向リンクチャネルのための電力制御ループを提供する別の態様に関連するフローチャートである。Ｒ−ＰＩＣＨは、Ｒ−ＣＣＣＨ（逆方向共通制御チャネル）上で初期アクセスメッセージを送信する移動局によるアクセスプリアンブルとして、すべてゼロのＣＤＭＡ符号によって拡散され、直前に送信されるチャネルである。Ｒ−ＰＩＣＨ（逆方向リンクパイロットチャネル）の電力制御ループと制御チャネルはＣＤＭＡデータが存在しない場合と同一である。Ｆ−ＰＣＣＨ、すなわち順方向リンク電力制御チャネルは、ＣＤＭＡデータが存在するときでさえも送信される。よって、Ｆ−ＰＣＣＨは、構成するオーバーヘッドが小さくても、パイロットのためのしっかりした受信ＳＮＲ設定値を保証するため、例えばＣＤＭＡデータの有無など、異なる条件の下で送信される。
【００４１】
通信システム内では、様々なメトリックが性能比指標として使用される。受信信号のＳＮＲすなわち信号対雑音比はこうしたメトリックの１つである。これはＡＴの送信電力レベルを判定する際に用いることができる。したがって、７１０で性能指標が測定される。７２０で、通信品質を求めるために、測定された性能指標が所定のＳＮＲ設定値と比較される。測定された性能指標が設定値より小さい場合、７３０で、関連付けられたＡＴは必要とされる最適なレベルより高い電力レベルで信号を送信していると判断することができる。したがって、７４０で、ＡＰはＡＴの送信電力の低減を円滑に行わせるためにＦ−ＰＣＣＨを送信する。これは、Ｆ−ＰＣＣＨ送信内で受信信号と関連付けられるＡＴのＭＡＣＩＤを指定することによって行われる。これに対して、７２０で、測定された性能指標が設定値より大きいと判定された場合、７５０で、関連付けられたＡＴは、必要とされる最適なレベルより低い電力レベルで送信していると判断される。したがって、７６０で、ＡＰはＡＴのＭＡＣＩＤを含むＦ−ＰＣＣＨ送信によりＡＴの送信電力レベルを増大させる。システムは引き続き７１０でＡＴの送信電力レベルを監視する。このように、Ｆ−ＰＣＣＨは、Ｒ−ＰＩＣＨが送信されるレベルを制御するアップ／ダウンコマンドを搬送する。このループによりパイロットの受信ＳＮＲ設定値が維持される。これらの電力制御信号は、ＣＤＭＡデータが存在するときでさえも送信され、これによってＲ−ＰＩＣＨおよび制御チャネルの電力制御ループがＣＤＭＡデータの電力制御による影響を受けないままであるようにする。Ｒ−ＰＩＣＨおよび制御チャネルの電力制御ビットが構成するシグナリングオーバーヘッドは小さいが、それでもなおこれらのビットは、これらのチャネルのＳＮＲ維持を円滑にしており、これらのビットがなければチャネルはＣＤＭＡデータのＡＣＫ／ＮＡＣＫに基づいて電力制御された場合に不必要に変動してしまう。また、ＳＮＲ設定値は、制御チャネルおよびデータの電力を設定するための基準として使用されてもよい。ＡＣＫ／ＮＡＣＫに基づく電力制御は、Ｒ−ＰＩＣＨに関して、ＣＤＭＡデータが送信されるレベルを制御するのに使用される。
【００４２】
図８は、ＡＣＫ／ＮＡＣＫフィードバックに基づいて通信システム内の様々なパイロットチャネルの電力を設定する方法８００に関連するものである。使用される送信電力は、最初は最も新しい正常なアクセスプローブの電力に基づくものであり、次いで、Ｆ−ＰＣＣＨ上で受け取られるフィードバックに基づいて動的に調整される。前述のように、Ｒ−ＡｕｘＰＩＣＨはＣＤＭＡデータが存在するときに送信され、ＯＦＤＭデータ送信用にはＡＴによって除外されてもよい。Ｒ−ＡｕｘＰＩＣＨは、ＡＰにおいてＣＤＭＡ送信のためのチャネル推定パイロットとして使用することができる。Ｒ−ＰＩＣＨ（逆方向リンク広帯域パイロットチャネル）は、帯域幅全体にわたる電力制御基準を提供する。一態様では、ＣＤＭＡトラヒックとＲ−ＡｕｘＰＩＣＨの電力比が、パケットフォーマットに基づいて固定される。例えば、各パケットフォーマットごとの比が、通信セッションの構成時に設定される。Ｒ−ＡｕｘＰＩＣＨとＲ−ＰＩＣＨの比は、ＡＣＫ／ＮＡＣＫフィードバックに基づいて変動させることができる。ＡＣＫは一般に、受け取った送信に応答して、この送信が適正に受け取られたことを示すために送られる。送信に応答するＮＡＣＫは、この送信が適正に受け取られなかったことを示す。ＡＣＫに応答する場合、送信側は次のデータを送信するが、ＮＡＣＫに応答する場合、送信側は、適正に受け取られなかった送信を再送信する。
【００４３】
次に図８を見ると、８０２で、パケットで搬送されるＱｏＳ(Quality of Service)フローが決定される。パケットのＱｏＳは、例えばパケットによって搬送されるデータの種類などによって異なる。次に８０４で、Ｒ−ＡｕｘＰＩＣＨとＲ−ＰＩＣＨの電力比を調整するための打ち切り目標が決定される。８０６で、アップステップサイズおよびダウンステップサイズが決定される。打ち切り目標ならびにアップステップサイズおよびダウンステップサイズは、各パケットごとに、各パケットで搬送されるフローのＱｏＳに基づいて決定される。８０８で、パケット送信からのフィードバックが受け取られる。８１０で、フィードバックを打ち切り目標と比較して、パケットが目標を超えて打ち切られているか否かが判定される。ＹＥＳである場合、８１２で、比Ｒ−ＡｕｘＰＩＣＨ／Ｒ−ＰＩＣＨがアップステップサイズ分だけ増大され、これによってＲ−ＡｕｘＰＩＣＨの、したがってデータの送信電力が増大する。８１０における判定がＮＯである場合、パケットはパケットの打ち切り目標において、または打ち切り目標の前で打ち切られていると判断される。したがって、８１４で、Ｒ−ＡｕｘＰＩＣＨ／Ｒ−ＰＩＣＨ比がダウンステップサイズ分だけ低減される。
【００４４】
図９は、ＣＤＭＡセグメントの負荷と関連した別の態様に関するフローチャートである。これは一般に、ＶｏＩＰのようなＱｏＳトラヒックも有益にサポートすることのできるセグメントおよび／またはＡＰに対するアドミッション制御によって制御される。図９には、１ビットの逆方向リンクアクティビティビット（reverse link activity bit）（ＲＡＢ）を緊急負荷制御機構として用いる方法９００が示されている。ＲＡＢビットは、特定のセクタにおける（ＲｏＴ（rise over thermal）、または他の何らかの測定によって示される）負荷が所定の閾値を超えるか否かを示す。これは、各ＰＨＹフレーム内のＣＤＭＡトラヒックセグメント上でどのフローにデータ送信が許されているか判定するのに使用することができる。したがって、ＲＡＢの意味は、最初にパケット構成時に設定される。このため９０２で最初に、構成されるパケットがＶｏＩＰのようなＱｏＳフローに関連するものであるか否かが判定される。ＹＥＳである場合、９０４で、パケットはブロードキャストされるＲＡＢビットを無視し、代わりにアドミッション制御を利用するように構成される。９０２で、構成がＱｏＳフローと関連付けられない場合、方法はステップ９０６に進み、そこで関連付けられたＡＴのアクティブセット内の各セクタからＲＡＢビットが取得される。９０８で、設定されているビットのいずれかが閾値を超えるか否か識別するために、受け取ったＲＡＢビットが閾値と比較される。ビットのいずれも閾値を超えない場合、プロセスは９１０に進み、そこでＣＤＭＡセグメントがロードされる。しかし、９１２でＲＡＢビットのいずれかが閾値を超える場合、非ＱｏＳトラヒックはＣＤＭＡセグメントの使用を中止するよう告知される。ＲＡＢをさらに利用するために、端末は、（ＲＬサービスセクタに関する）ＲＬ品質の閾値に従って端末のアクティブセット内の各セクタからのＲＡＢをリスニングし（listen）、閾値を超える受け取りＲＡＢビットのいずれかが設定されている場合、端末は、ＲＬＳＳによって設定されているものとして振舞う。ＲＡＢはオンオフ変調チャネルである。一態様では、ＯＮ状態のＲＡＢは、Ｆ−ＰＱＩＣＨ（ＡＴからのＲＬパイロットの品質を示す、ＡＰからＡＴに送信されたパイロット品質チャネル）によって使用される１６の符号語（code words）のうち１つのみを使用する。
【００４５】
肯定応答ビットは、ＡＴ  ＲＬ処理を簡略化するためにＯＦＤＭＡデータの変調と同じ変調を使ってもよい。一態様では、ＣＤＭＡセグメントに入ることを許可された各ユーザに、パケットが開始することのできる各インターレースに対応するＡＣＫＩＤが割り当てられる。このＡＣＫＩＤは、フレームワークで指定されている復号タイムラインに基づき、ＡＣＫがこのインターレースのために送信されることになっているフレームにおいて適用可能である。前述のように、一態様では、通信セッションの最初構成時などに、最大２つまでのパケット開始インターレース、したがって１ユーザ当たり最大２つまでのＡＣＫＩＤが割り当てられる。一態様では、ＣＤＭＡ  ＡＣＫＩＤ０がＯＦＤＭＡトラヒックに割り当てられない最初のＡＣＫチャネルに対応する。別の態様では、ＯＦＤＭＡトラヒックに割り当てられるＡＣＫの数は、ＡＣＫトラヒックが利用できる帯域幅に依存し、ＣＤＭＡデータに割り当てられるＡＣＫは、ＣＤＭＡセグメントに割り振られる帯域幅に基づいて自動的に低減される。
【００４６】
本明細書で使用する場合、セグメントまたはサブセグメントとは、予め定義された時間周波数または周波数の割り振りとすることができ、時間的に、かつ／または周波数的に連続していても連続していなくてもよい。一般に、セグメントまたはサブセグメントは、利用可能な割り振りの一部であり、割り振りの残りの部分はＯＦＤＭデータおよび制御セグメント（control segment）によって使用される。
【００４７】
本明細書で説明するデータ送信技術は様々な手段によって実施され得る。例えば、これらの技術は、ハードウェア、ファームウェア、ソフトウェア、またはこれらの組み合わせとして実施される。ハードウェア実装形態では、送信側におけるデータ送信または受信側におけるデータ受信に使用される処理ユニットは、１つまたは複数の特定用途向け集積回路（ＡＳＩＣ）、ディジタル信号プロセッサ（ＤＳＰ）、ディジタル信号処理装置（ＤＳＰＤ）、プログラマブル論理回路（ＰＬＤ）、フィールドプログラマブルゲートアレイ（ＦＰＧＡ）、プロセッサ、コントローラ、マイクロコントローラ、マイクロプロセッサ、電子デバイス、本明細書で述べる機能を実行するように設計された他の電子ユニット、またはこれらの組み合わせで実施されてもよい。
【００４８】
ファームウェアおよび／またはソフトウェア実装形態では、これらの技術は、本明細書で述べる機能を実行するモジュール（手順、関数など）を用いて実施される。ファームウェアおよび／またはソフトウェアコードは、メモリに格納され、プロセッサによって実行される。メモリは、プロセッサ内で実施されても、プロセッサの外部で実施されてもよい。
【００４９】
開示の実施形態の上記説明は、当業者が本開示を作成し、または使用することを可能にするために提供するものである。当業者にはこれらの実施形態の様々な変更は容易に明らかであり、本明細書で定義する包括的原理は、本開示の精神および範囲を逸脱することなく他の実施形態にも適用され得る。よって、本開示は本明細書に示す実施形態だけに限定するものではなく、本開示には、本明細書に開示する原理および新規の特徴と一致する最も広い適用範囲が与えられるべきである。
【００５０】
以上の説明は様々な実施形態の例を含んでいる。当然ながら、各実施形態を説明するためにコンポーネントまたは方法の考えられるあらゆる組み合わせを記述することは不可能であるが、多くの別の組み合わせおよび置換が可能であることは当業者には理解されるものである。したがって、この詳細な説明は、添付の特許請求の範囲の精神および範囲内に該当するこのようなすべての変更、改変、および変形を包含するものである。
【００５１】
特に、前述のコンポーネント、装置、回路、システムなどによって実行される様々な機能に関して、このようなコンポーネントを記述するのに使用される（「手段（means）」への言及を含む）用語は、特に指示しない限り、たとえ各実施形態の本明細書で示す例示的態様において機能を果たす開示の構造と構造的に等価でないとしても、記載されたコンポーネントの特定された機能を実行する任意のコンポーネント（機能的均等物など）に対応するものである。これに関しては、各実施形態が、システム、ならびに様々な方法の動作および／またはイベントを実行するコンピュータ実行可能命令を有するコンピュータ可読媒体を含むことも理解されるであろう。
【００５２】
加えて、特定の特徴がいくつかの実装形態のうちの１つのみに関して開示されているが、このような特徴は、任意の所与のまたは特定の用途に求めに応じて、かつ有利となるように、他の実装形態の１つまたは複数の他の特徴と組み合わされてもよい。さらに、「含む（includes）」および「含む（including）」ならびにこれらの変化形は、これらの用語が詳細な説明または特許請求の範囲において使用される限りにおいて、「備える（comprising）」という用語と同様の意味で含むことを意味するものである。
【図１】
2010502157.tif 000003
【図２】
2010502157.tif 000004
【図３】
2010502157.tif 000005
【図４Ａ】
2010502157.tif 000006
【図４Ｂ】
2010502157.tif 000007
【図４Ｃ】
2010502157.tif 000008
【図５】
2010502157.tif 000009
【図６】
2010502157.tif 000010
【図７】
2010502157.tif 000011
【図８】
2010502157.tif 000012
【図９】
2010502157.tif 000013
【国際調査報告】
2010502157.tif 000014
2010502157.tif 000015
2010502157.tif 000016
2010502157.tif 000017
2010502157.tif 000018
2010502157.tif 000019